【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
リクエスト／レスポンス型の通信プロトコルを用いてクライアントと通信を行う通信手段と、
前記通信手段がクライアントから受信した要求に応じた処理を行い、受信した要求に対する応答を前記通信手段が前記クライアントに送信可能とする処理手段と、
前記通信手段が所定のポーリングリクエストを受信した場合であって、前記処理手段が前記所定のポーリングリクエストに対する応答を前記クライアントに送信する前に、前記クライアントから他の要求を受信した場合、前記所定のポーリングリクエストに対するキャンセルレスポンスを前記通信手段から送信すると共に、前記他の要求に応じた処理を前記処理手段に実行させる制御手段と
を有することを特徴とする通信装置。
【請求項２】
表示手段、複数の画像を記憶可能な記憶手段、及び、ユーザからの指示を入力するための操作手段とを更に有し、
前記処理手段は、
クライアントから前記所定のポーリングリクエストを受信した場合に、前記記憶手段に記憶されている画像の中から、前記クライアントに送信する対象の画像をユーザが選択可能に前記表示手段に表示し、
前記操作手段を介した画像の選択に応じて送信対象の画像を表すリストを生成し、
前記操作手段を介して送信指示が入力された場合に、前記リストを前記所定のポーリングリクエストに対する応答として送信する
ことを特徴とする請求項１に記載の通信装置。
【請求項３】
前記記憶手段に記憶する画像を取得するための撮像手段を更に有することを特徴とする請求項２に記載の通信装置。
【請求項４】
前記他の要求は、前記撮像手段を使ったリモート撮影の要求、前記記憶手段に記憶されている画像の一覧の取得要求、画像に対する位置情報の付加する要求、動作環境の設定要求の少なくとも１つを含む
ことを特徴とする請求項３に記載の通信装置。
【請求項５】
前記制御手段は、前記所定のポーリングリクエストに対するキャンセルレスポンスを送信して、前記他の要求に対する処理を前記処理手段により実行する場合に、前記操作手段が操作不可であることを前記表示手段に表示する
ことを特徴とする請求項２に記載の通信装置。
【請求項６】
前記制御手段は、前記処理手段による前記所定のポーリングリクエストの処理中に前記他の要求を受信した場合、当該他の要求に対してビジー状態であることを示す応答を前記通信手段から送信する
ことを特徴とする請求項１に記載の通信装置。
【請求項７】
前記制御手段は、前記他の要求が前記撮像手段を使ったリモート撮影の要求である場合、リモート撮影の準備が完了すると、前記クライアントにリモート撮影の準備が完了したことを通知する
ことを特徴とする請求項４に記載の通信装置。
【請求項８】
前記リクエスト／レスポンス型の通信プロトコルはＨＴＴＰである
ことを特徴とする請求項１に記載の通信装置。
【請求項９】
リクエスト／レスポンス型の通信プロトコルを用いてクライアントと通信を行う通信手段を有する通信装置の制御方法であって、
前記通信手段がクライアントから受信した要求に応じた処理を行い、受信した要求に対する応答を前記通信手段が前記クライアントに送信可能とする工程と、
前記通信手段が所定のポーリングリクエストを受信した場合であって、前記所定のポーリングリクエストに対する応答を前記クライアントに送信する前に、前記クライアントから他の要求を受信した場合、前記所定のポーリングリクエストに対するキャンセルレスポンスを前記通信手段から送信すると共に、前記他の要求に応じた処理を実行する工程と
を有することを特徴とする通信装置の制御方法。
【請求項１０】
前記通信装置は、表示手段、複数の画像を記憶可能な記憶手段、ユーザからの指示を入力するための操作手段を有し、
クライアントから前記所定のポーリングリクエストを受信した場合に、前記記憶手段に記憶されている画像の中から、前記クライアントに送信する対象の画像をユーザが選択可能に前記表示手段に表示する工程と、
前記操作手段を介した画像の選択に応じて送信対象の画像を表すリストを生成する工程と、
前記操作手段を介して送信指示が入力された場合に、前記リストを前記所定のポーリングリクエストに対する応答として送信する工程と
を更に含むことを特徴とする請求項９に記載の通信装置の制御方法。
【請求項１１】
リクエスト／レスポンス型の通信プロトコルを用いてクライアントと通信を行う通信手段を有するコンピュータが読み込み実行することで、前記コンピュータに、請求項９に記載の通信装置の制御方法の各工程を実行させるためのプログラム。
【請求項１２】
第１の通信手段を有する撮像装置、第２の通信手段を有する端末装置で構成される通信システムであって、
前記撮像装置は、前記第１の通信手段によりリクエスト／レスポンス型の通信プロトコルを用いることで、サーバとして機能し、
前記端末装置は、前記第２の通信手段によりリクエスト／レスポンス型の通信プロトコルを用いることでクライアントとして機能し、
前記端末装置は、
前記撮像装置と所定のポーリングリクエストを前記撮像装置に送信すると共に、前記撮像装置に対する複数の処理項目のメニューを表示する第１の処理手段と、
前記所定のポーリングリクエストに対する応答を前記撮像装置から受信する前に、前記メニューの１つの処理項目がユーザにより選択された場合、前記撮像装置に対して選択した処理項目の要求を送信し、前記所定のポーリングリクエストに対するキャンセル応答を受信してから、選択した処理項目の要求に対する処理に移行する第２の処理手段と、
前記メニューのいずれかの処理項目をユーザにより選択しないまま、前記撮像装置から前記所定のポーリングリクエストに対する応答を受信した場合、当該応答に記述された画像を取得する処理に移行する第３の処理手段とを有し、
前記撮像装置は、
前記端末装置と通信中に、前記所定のポーリングリクエストを前記端末装置から受信した場合、前記撮像装置が記憶している撮像画像の一覧を、ユーザが選択可能に表示すると共に、ユーザによる画像の選択を受け付け、ユーザにより送信指示が入力された場合に選択した画像を特定する情報を、前記所定のポーリングリクエストに対する応答として前記端末装置に送信する第４の処理手段と、
前記第４の処理手段による前記所定のポーリングリクエストに対する応答を前記端末装置に送信する前に前記端末装置から他の要求を受信した場合、前記所定のポーリングリクエストに対するキャンセルレスポンスを送信すると共に、前記他の要求に対する処理を行う第５の処理手段とを有する
ことを特徴とする通信システム。
【手続補正２】
【補正対象書類名】明細書
【補正対象項目名】０００６
【補正方法】変更
【補正の内容】
【０００６】
この課題を解決するため、例えば本発明の通信装置は以下の構成を備わる。すなわち、
リクエスト／レスポンス型の通信プロトコルを用いてクライアントと通信を行う通信手段と、
前記通信手段がクライアントから受信した要求に応じた処理を行い、受信した要求に対する応答を前記通信手段が前記クライアントに送信可能とする処理手段と、
前記通信手段が所定のポーリングリクエストを受信した場合であって、前記処理手段が前記所定のポーリングリクエストに対する応答を前記クライアントに送信する前に、前記クライアントから他の要求を受信した場合、前記所定のポーリングリクエストに対するキャンセルレスポンスを前記通信手段から送信すると共に、前記他の要求に応じた処理を前記処理手段に実行させる制御手段とを有する。
【手続補正３】
【補正対象書類名】明細書
【補正対象項目名】０１４１
【補正方法】変更
【補正の内容】
【０１４１】
図１１と、第１の実施形態における図７Ａとの違いは、ステップＳ７０７にて、図５（ａ）の送信ボタン５０３の押下があったと判定を行った直後に、スマートデバイスからリモート撮影要求を受信しているか否かの判定ステップＳ１１０１を追加した点である。このステップＳ１１０１にて、制御部１０１がリモート撮影要求を受信していたと判定した場合には、ステップＳ７０９に処理が進まず、ステップＳ７１２に処理が進み、ロングポーリングに対するキャンセルを示す応答を返し（図１０のステップＳ１２０９に対応）、その後、リモート撮影の判定であるステップＳ７１３は必ずＹｅｓとなり、リモート撮影へ移行することになり、図１０のシーケンスが実現できる。
【手続補正４】
【補正対象書類名】図面
【補正対象項目名】図１１
【補正方法】変更
【補正の内容】
【図１１】
2018190173.tif 000001